(57)【要約】【課題】  血液の逆流の即座に反応し、血管内圧と真空採血管の内圧の差が微少であっても血液の逆流を完全に防止することが可能で、かつコストをおさえた採血針を提供する。【解決手段】  患者に穿刺される鋭利な先端を有する針管２１と、採血管を封止するゴム栓に穿刺される鋭利な先端を有する針管２２と、これら２本の針管のそれぞれの基端部を固着し、かつ２本の針管の内部を連通させうる内部通路を有するハブ３と、針管２２の先端を包囲するようにハブ３に液密に嵌着された弾性キャップ４と、前記ハブ３の内部通路に配置された針管２１から針管２２への血液の流れのみを許容する弁部材５とを有してなる採血針１であって、前記弁部材５は針管２２に開口を向けて配置される椀部５１と、該椀部５１の底面に設けられ、かつ弁部材５を内部通路を閉鎖する規定の位置に移動せしめるガイド部５２とを有してなることを特徴とする採血針１である。【選択図】      図１
2006020934.tif 000002
【特許請求の範囲】
【請求項１】
患者の皮膚に穿刺される鋭利な先端を有する針管と、採血管を封止するゴム栓に穿刺される鋭利な先端を有する針管と、これら２本の針管のそれぞれの基端部を固着し、かつ２本の針管の内部を連通させうる内部通路を有するハブと、ゴム栓に穿刺される針管の先端を包囲するようにハブに液密に嵌着された弾性キャップと、前記ハブの内部通路に配置された患者に穿刺される針管からゴム栓に穿刺される針管への血液の流れのみを許容する弁部材とを有してなる採血針であって、前記弁部材はゴム栓に穿刺される針管に開口を向けて配置される椀部と、該椀部の底面に設けられ、かつ弁部材を内部通路を閉鎖する規定の位置に移動せしめるガイド部とを有してなることを特徴とする採血針。
【請求項２】
前記ハブの内部通路は、弁部材の椀部を収容しうる空隙部と、弁部材のガイド部を収容し、かつ弁部材の椀部の外周面と当接することにより内部通路を閉鎖しうるガイド通路を有してなる請求項１記載の採血針。
【請求項３】
前記ハブのガイド通路の弁部材の椀部の外周面と当接する部分には、椀部の外周面に沿う形状の当接面が形成されてなる請求項２に記載の採血針。
【請求項４】
前記弁部材の椀部は、半円球状である請求項１〜３のいずれかに記載の採血針。
【請求項５】
前記弁部材の椀部は、円錐状である請求項１〜３のいずれかに記載の採血針。
【請求項６】
前記弁部材のガイド部は、中実の円柱状である請求項１〜５のいずれかに記載の採血針。
【請求項７】
前記弁部材のガイド部は、中実の円錐状である請求項１〜５のいずれかに記載の採血針。
【請求項８】
前記ガイド部は、内部が中空であり、かつ椀部底面を通じて椀部開口と連通してなる請求項６または７記載の採血針。
【請求項９】
前記ハブは、内部通路を外部雰囲気と連通させる通気路を有し、かつ通気路内部には空気透過性血液不透過性フィルタが液密に固定されてなる請求項１〜８のいずれかに記載の採血針。
【請求項１０】
前記ハブの空隙部には、さらに弁部材を内部通路を閉鎖する方向に付勢しうるバネ部材が配置されてなる請求項１〜９のいずれかに記載の採血針。
【請求項１１】
前記バネ部材は、弁部材の椀部と、空隙部のゴム栓に穿刺される針管側の壁面とに挟持されてなる請求項１０記載の採血針。
【発明の詳細な説明】
【技術分野】
【０００１】
本発明は採血針に関し、さらに詳細にはその一端を被検者の血管に穿刺し、他端を真空採血管内に挿入して、血管内部と真空採血管内部とを連通させ、真空採血管内の負圧に応じた量の血液を採取するために使用される採血針に関する。
【背景技術】
【０００２】
従来、真空採血管を用いることにより、一回の穿刺で複数回の血液採取を可能とする採血ユニットが使用されている（例えば、特許文献１参照）。この採血ユニットは、患者の皮膚に穿刺される針、真空採血管のゴム栓に穿刺される針、これらの針を固定しうる針ハブおよび真空採血管に穿刺される針を包囲するように取り付けられた弾性チップを備える採血針と、この採血針を固定し真空採血管と嵌合する採血管ホルダと、ゴム栓により封止された真空採血管とから構成される。
採血に際しては、まず採血管ホルダに採血針を固定し、採血管ホルダに真空採血管を嵌合することにより、真空採血管に穿刺される針が弾性チップから露出して真空採血管のゴム栓に穿刺されて採血が開始される。
【０００３】
前記採血ユニットにより採血が行われる際、患者の血管は針の穿刺に先立って駆血体により内圧が上げられているが、採血中にこの駆血体を外すと血管内圧が採血管内圧よりも低くなり、採血管内の血液が血管内に逆流する場合がある。採血管は一般的に未滅菌で管内に雑菌が存在する場合があり、また管内に血液凝固促進剤などの薬剤が充填されているものもあるため、このような雑菌や薬剤が血液と共に患者に逆流することによる被害が問題視されている。
このような問題は、駆血体を外すタイミングにより一応は解決できるものであるが、採血における手技は一貫されていないため、駆血体を外すタイミングに寄らず、採血管内から患者の血管への血液の逆流を防止することを可能とする採血針の開発が望まれている。
【０００４】
血液の逆流を防止しうる機構として逆止弁を設けた採血針が、過去に開発されている（例えば、特許文献２〜５）。米国特許第３５５７７７８号明細書に記載される採血針は、針ハブ内にボール弁が配置されたものであり、患者の血管内圧が採血管の内圧よりも低くなった場合には、弁が患者に穿刺された針側に移動して、針の基端部を閉塞することにより患者への血液の逆流を防止することができるものである。また、特公昭５６−１４３１４４号公報に記載される採血針は、針ハブ内にチューブ型の弁が配置されたものであり、やはり圧力差によって弁が移動することにより患者への血液の逆流を防止することができるものである。一方、特公昭５３−９７２８９号公報および特公昭５７−１１６６１号公報に記載される採血針は、針ハブ内に一方向の血液の流れのみを許容しうるダックビル弁を配置したものであり、血液の逆流が発生した場合にはその血流に応じて弁が閉じて血液が血管に流れ込むのを防止することができるものである。
【０００５】
上記した逆止弁を用いた採血針は、いずれも血液が患者へと逆流することを防止することができるものではある。しかし、ボール弁やチューブ型の弁が配置された採血針は、血管内圧と採血管内の圧力の差による移動あるいは変形を伴うものであるが、圧力差の発生と移動あるいは変形の完了とには時間的差異が生じてしまい、また圧力差が微少であった場合には移動あるいは変形が生じないおそれがあるため、患者への血液の逆流を完全に防止できないおそれがある。また、ダックビル弁は高価であり、このような弁が配置された採血針は使い捨て製品であるにもかかわらずそれ自体がコストの高いものとなってしまう。
【０００６】
【特許文献１】特公平７−３２７６６号公報（従来技術、第５図）
【特許文献２】米国特許第３５５７７７８号明細書
【特許文献３】特公昭５３−９７２８９号公報
【特許文献４】特公昭５７−１１６６１号公報
【特許文献５】特公昭５６−１４３１４４号公報
【発明の開示】
【発明が解決しようとする課題】
【０００７】
そこで本発明は、血液の逆流の即座に反応し、血管内圧と真空採血管の内圧の差が微少であっても血液の逆流を完全に防止することが可能で、かつコストをおさえた採血針を提供することを目的とする。
【課題を解決するための手段】
【０００８】
本発明者は、鋭意検討を行った結果、針ハブ内に、逆流しようとする血液を受けとめうる椀部と弁を適切な方向に移動せしめるガイド部とを有する新規な形状の逆止弁を配置したことにより得られた採血針が、上記課題を解決できることを見出し本発明に到達した。
【０００９】
すなわち、本発明は、
（１）  患者の皮膚に穿刺される鋭利な先端を有する針管と、採血管を封止するゴム栓に穿刺される鋭利な先端を有する針管と、これら２本の針管のそれぞれの基端部を固着し、かつ２本の針管の内部を連通させうる内部通路を有するハブと、ゴム栓に穿刺される針管の先端を包囲するようにハブに液密に嵌着された弾性キャップと、前記ハブの内部通路に配置された患者に穿刺される針管からゴム栓に穿刺される針管への血液の流れのみを許容する弁部材とを有してなる採血針であって、前記弁部材はゴム栓に穿刺される針管に開口を向けて配置される椀部と、該椀部の底面に設けられ、かつ弁部材を内部通路を閉鎖する規定の位置に移動せしめるガイド部とを有してなることを特徴とする採血針、
（２）  前記ハブの内部通路は、弁部材の椀部を収容しうる空隙部と、弁部材のガイド部を収容し、かつ弁部材の椀部の外周面と当接することにより内部通路を閉鎖しうるガイド通路を有してなる（１）記載の採血針、
（３）  前記ハブのガイド通路の弁部材の椀部の外周面と当接する部分には、椀部の外周面に沿う形状の当接面が形成されてなる（２）に記載の採血針、
（４）  前記弁部材の椀部は、半円球状である（１）〜（３）のいずれかに記載の採血針、
（５）  前記弁部材の椀部は、円錐状である（１）〜（３）のいずれかに記載の採血針、
（６）  前記弁部材のガイド部は、中実の円柱状である（１）〜（５）のいずれかに記載の採血針、
（７）  前記弁部材のガイド部は、中実の円錐状である（１）〜（５）のいずれかに記載の採血針、
（８）  前記ガイド部は、内部が中空であり、かつ椀部底面を通じて椀部開口と連通してなる（６）または（７）記載の採血針、
（９）  前記ハブは、内部通路を外部雰囲気と連通させる通気路を有し、かつ通気路内部には空気透過性血液不透過性フィルタが液密に固定されてなる（１）〜（８）のいずれかに記載の採血針、
（１０）  前記ハブの空隙部には、さらに弁部材を内部通路を閉鎖する方向に付勢しうるバネ部材が配置されてなる（１）〜（９）のいずれかに記載の採血針、
（１１）  前記バネ部材は、弁部材の椀部と、空隙部のゴム栓に穿刺される針管側の壁面とに挟持されてなる（１０）記載の採血針
に関する。
【発明の効果】
【００１０】
本発明の採血針によれば、採血時の手技、すなわち駆血体の取り外しのタイミングに関わらず、採血管内から血管への血液の逆流を完全に防止することができる。また本発明の採血針に用いられる逆止弁は、ダックビル弁よりもコストを低く抑えることができ、また従来の逆止弁に比べてはるかに血液の逆流に瞬時に対応することが可能である。
【発明を実施するための最良の形態】
【００１１】
以下、図面を用いて本発明の好ましい実施態様を詳細に説明するが、本発明はこれらに限定されるものではない。図１は本発明の採血針の一例を示す縦断面図であり、図２は図１に示される採血針のハブ部分を分解した拡大断面図である。また図３は本発明の採血針の逆止弁の他の例を示す縦断面図であり、図４はバネ部材を有した本発明の採血針の一例を示す縦断面図である。さらに図５はフラッシュバック機構を有した本発明の採血針の一例を示す縦断面図であり、図６は図５に示される採血針のハブ部分を分解した拡大断面図である。
本発明の採血針１は、鋭利な先端を有する２本の針管２１および２２と、これらの針管２１および２２の基端部を固着するハブ３と、針管２２を包囲するように嵌着された弾性キャップ４と、ハブ３内に配置された弁部材５とを有してなる。
【００１２】
本発明における針管２１および２２は、いずれも中空の管であってその先端２１１および２２１には鋭利な刃先が形成されている。前記先端２１１は患者の皮膚を介して血管に、先端２２１は真空採血管を封止するゴム栓に穿刺されるが、穿刺抵抗を低くするためにその刃先は少なくとも一つの傾斜した刃面（ベベル）を有している。該針管２１および２２の材料としては、ステンレス鋼、アルミニウム、チタンあるいはこれらの合金などの金属材料が好ましく用いられる。
【００１３】
前記針管２１および２２はその基端部２１２および２２２がハブ３に固着される。該ハブ３は内部通路、具体的には針管２１の基端部２１２および針管２２の基端部２２２が挿入される針管保持部３１および３２と、後述する弁部材が配置される空隙部３３およびガイド通路３４とを有する内部通路が形成された中空の管体である。該針管保持部３１および３２は、針管２１および２２が挿入されうるように針管の外径よりも僅かに大きな内径を有しており、針管２１および２２は該針管保持部３１および３２に挿入された後、例えば接着剤Ｓを用いて気密的に固着されている。該接着剤Ｓとしては、エポキシ硬化剤やＵＶ硬化型接着剤などが好ましく用いられる。該接着剤Ｓは、図１に示されるように前記ハブ３と針管２１および２２との間隙の一部を埋めるように使用されても差し支えない。該針管２１および２２は、同軸状に配置されるようにハブ３に固着されてもよいし、互いが平行に配置されるように固着されてもよく、前記針管保持部３１および３２の位置および形状は、これらの針管２１および２２の配置によって適宜変更される。
【００１４】
本発明のハブ３は、患者穿刺側の外周面にリブ３５が設けられていてもよい。該リブ３５は、針キャップ（図示せず）と係合して針キャップ内で採血針１が回転することを防止するため等に使用される。該リブ３５はハブ３の外周全周にわたって等間隔に２個以上設けられていることが好ましい。
また、前記ハブ３のゴム栓穿刺側の外周面にはねじ部３６が設けられており、該ねじ部３６に真空採血管を嵌合保持しうる採血管ホルダ（図示せず）の口部が螺合されるようになっている。該ねじ部３６の患者穿刺側には、採血管ホルダの口部が当接して螺合を完了させるようにフランジ３７が形成されていてもよい。
さらに前記ハブ３のねじ部３６のさらにゴム栓穿刺側には、後述する弾性キャップ４を気密的に、かつ離脱できないように係止しうる係止部３８が形成されていてもよい。
【００１５】
本発明のハブ３は、ポリプロピレン、ポリエチレン、ポリスチレン、ポリエチレンテレフタレート、ポリメチルペンテン、ポリカーボネート、ポリアクリロニトリル、ＡＢＳ樹脂等を材料として、射出成形など公知の成形技術を用いて成形される。
また、該ハブ３は後述する弁部材５を内部通路に配置するため、図２に示されるように複数部品に分けて成形された後、弁部材５を配置した上で溶着や接着などにより一体化されたものであることが好ましい。ハブ３を複数部品に分けて成形する場合は、図２に示されるように外側部材と内側部材の２部材に分ける方法や、図３に示されるように前端部と後端部の２部材に分ける方法など、弁部材５の配置が容易であるように分割されれば特に分割の箇所は限定されない。
【００１６】
前記ハブ３の係止部３８に係止される弾性キャップ４は、有底筒状形状を有し、かつゴム栓に穿刺される針管２２の先端２２１を収納できる大きさを有する。該弾性キャップ４の材質としては、天然ゴム、イソプレンゴムやシリコンゴム等の合成ゴム、エラストマーなどがあげられる。該弾性キャップ４もハブ３と同様、必要に応じて少なくとも一部が透明または半透明であってもよい。
【００１７】
ハブ３内に形成された空隙部３３およびガイド通路３４には、弁部材５が配置される。弁部材５は、採血中に患者の血管から真空採血管内への血液の流れのみを許容し、真空採血管内に採取された血液が採血針１を通って患者の血管に逆流することを防ぐためのものである。
本発明の弁部材５は、椀部５１と該椀部５１の底面に設けられたガイド部５２とからなるものであり、椀部５１の開口５３がゴム栓に穿刺される針管２２の基端部２２２に向けて配置される。該椀部５１の形状は、図１に示されるような円錐状や、半円球状、円柱状、角柱状など、開口から流入する血液を受けうるように、底面と壁面とで構成された椀型の形状であればよい。また、該ガイド部５２の形状は、図１に示されるような中実の円錐状や円柱状、あるいは図３および図５に示されるような円柱と円錐を組み合わせた形状のほか、角柱状などであってもよく、椀部５１の外径よりも小さい外径を有するものであることが好ましい。該ガイド部５２は内部が中空であってもよいが、その場合は該内部が椀部５１の底面を通じて椀部５１の開口５３と連通していることがより好ましい。すなわち、該ガイド部５２の内部が中空である場合、椀部５１の開口５３から流入する血液は、該ガイド部５２の内部にも流入することになる。
【００１８】
前記弁部材５を構成する材料としては、ステンレス鋼、ポリプロピレン、ポリカーボネート、ポリエチレン、ＡＢＳ樹脂などがあげられる。該弁部材５の成形方法としては、プレス成形、射出成形などがあげられるが、本発明の弁部材５はこれらの成形方法により全体が成形されたものであってもよいし、椀部５１およびガイド部５２が別々に成形された上で溶着、接着、溶接あるいは一体成形などにより一体化されたものであってもよい。
また該弁部材５は、該椀部５１の開口５３部分の外径が、ゴム栓に穿刺される針管２２の基端部２２２の内径よりも大きくなるように設計されたものであることが好ましい。
【００１９】
前記ハブ３の空隙部３３には、前記弁部材５の椀部５１が収容され、該ハブ３のガイド通路３４には、該弁部材５のガイド部５２が収容される。したがって、該空隙部３３とガイド通路３４は連通しており、該空隙部３３と針管保持部３２および該ガイド通路３４と針管保持部３１もまた、それぞれ連通している。
該空隙部３３およびガイド通路３４は、弁部材５の椀部５１およびガイド部５２をそれぞれ収容し、かつ採血時に患者の血管に穿刺される針管２１から流入して真空採血管を封止するゴム栓に穿刺される針管２２へと流れる血液の流量を十分に確保できる間隙を有する大きさおよび形状であることが好ましい。該空隙部３３は、円柱状または椀部５１の外周面に沿う形状であることが好ましく、該ガイド通路３４も、円柱状またはガイド部５２の外周面に沿う形状であることが好ましい。
【００２０】
図１に示されるように前記空隙部３３の径が針管保持部３２の径よりも大きい場合には、該空隙部３３と針管保持部３２との境界部分には壁面３９が形成される。本発明の弁部材５は、採血時に患者の血管から真空採血管内へと血液が流れる場合には、患者に穿刺される針管２１から流入しゴム栓に穿刺される針管２２へと流れる血液の流れにより、ハブ３の内部通路の針管２２側へと押されるため、椀部５１の開口５３が空隙部３３の前記壁面３９に当接する。
該壁面３９には、空隙部３３内方へ向かって突出するリブ３９１が設けられていてもよい。採血の際、針管２１からガイド通路３４に流入した血液は、ガイド部５２とガイド通路３４の間隙および椀部５１と空隙部３３の間隙を通過して、針管２２を通って真空採血管内へ流出する。前記リブ３９１により、該開口５３の端部と該壁面３９の間には間隙が形成されるため、椀部５１の開口５３の端部と壁面３９の当接により血液の流れが妨げられるおそれがない。該リブ３９１は、開口５３の端部に均等に当接するよう、壁面３９に等間隔に複数個設けられていることがより好ましい。なお、該空隙部３３の径が針管保持部３２の径よりも小さく壁面３９が形成されない場合は、弁部材５の椀部５１よりも針管２２側で空隙部３３の内周面から内方へ突出するようにリブを設けることができる。
【００２１】
採血時に患者の血管内圧が真空採血管の内圧よりも低くなった場合には、真空採血管内の血液が針管２２を通ってハブ３の内部通路へ流入し、患者の血管へと逆流しようとする。しかし、本発明の採血針１は、針管２２内を逆流する血液が空隙部３３に流入したときに、椀部５１内部に流入して弁部材５をハブ３の内部通路の針管２１側へと押す。これにより、椀部５１の外周面がガイド通路３４に当接するが、この当接は逆流した血液の圧力により液密となるため、空隙部３３に流入した血液がさらにガイド通路３４および針管２１へと流入するおそれはない。
本発明の弁部材５は、逆流した血液を受け入れる椀状の椀部５１を有しているため、血液の逆流の発生すれば即座にハブ３の内部通路を閉鎖することができる。さらに、前記弁部材５は、ハブ３のガイド通路３４に収容されるガイド部５２を有しているため、血液が逆流した場合に弁部材５を傾けたり回転させたりすることなく速やかに針管２１側へ移動させて、椀部５１の外周面を確実にガイド通路３４に当接させることができる。
該ガイド通路３４の椀部５１の外周面が当接する部分には、該椀部５１の外周面に沿う形状の当接面３４１が形成されていてもよい。すなわち、椀部５１が図１に示されるように円錐形状を有する場合は、該椀部５１の外周面と同様のテーパー形状を有する当接面３４１が形成され、椀部５１が半円球状を有する場合は、該椀部の外周面と同様の半円球状に切り欠かれた当接面３４１が形成されることが好ましい。
【００２２】
本発明の採血針１は、図３に示されるように、さらにバネ部材６が設けられていてもよい。該バネ部材６は、ステンレス鋼や、ポリプロピレン、ポリカーボネート、ＡＢＳ樹脂、ポリエチレン、ポリエーテルスルホンなどの合成樹脂製のバネであり、ハブ３の空隙部３３に、弁部材５１の椀部５１の開口５３と空隙部３３と針管保持部３２との境界部分の壁面３９との間に挟持される。したがって、該バネ部材６は、該椀部５１側の端部が該椀部５１の開口５３よりも大きな径を有するか、あるいは該開口５３に固定されていることが好ましい。また、該バネ部材の壁面３９側端部も、必要により該壁面３９やリブ３９１に固定されることができる。
前記バネ部材６は、弁部材５を内部通路を閉鎖する方向、すなわち患者に穿刺される針管２１側に付勢しうるように、縮められた状態でハブ３の空隙部３３内に配置されている。したがって、バネ部材６の付勢力を調節することにより、患者の血管内圧と真空採血管の内圧の差が微少であっても弁部材５を針管２１側に移動させて内部通路を閉鎖し、血液の逆流を確実に防止することが可能となる。また、弁部材５を付勢できるものであれば、前記バネ部材６に限定されず、板状のエラストマーなどの弾性材料を用いることもできる。
【００２３】
本発明の採血針１は、図５に示されるように、フラッシュバック機構を有する採血針１ａであってもよい。該採血針１ａは、基本的には図１に示される採血針１と同様の構成要件からなり、弁部材５ａの作用については同じである。採血針１と採血針１ａとの相違点は、ハブ３ａが内部通路を外部雰囲気と連通させる通気路７を有している点、該通気路７の内部に空気透過性血液不透過性フィルタ８が液密に固定されてなる点、およびハブ３内部に流入した血液を外側から確認しうるようにハブ３の少なくとも一部が透明ないし半透明である点である。
前記採血針１ａは、針管２１ａが患者の皮膚を介して血管に穿刺されたとき、針管２１ａ内およびハブ３ａの内部通路内の空気が通気路７から空気透過性血液不透過性フィルタ８を通って外部へと逃れることにより、血液が針管２１ａ内に流入し、ハブ３ａの内部通路および通気路７を満たし、該空気透過性血液不透過性フィルタ８によりせき止められる。この血液を採血針１ａの外部からハブ３の透明ないし半透明の部分で目視することにより、フラッシュバックが確認できる。
【００２４】
前記採血針１ａにおける通気路７は、図５に示されるように空隙部３３ａからハブ３のねじ部３６ａと弾性キャップ４ａの間にかけて形成されてもよいが、弾性キャップ４ａ内部からハブ３ａの内部を通ってハブ３ａの外周で開口するように形成されもよいし、ハブ３ａの針管支持部３２ａを通気路７の一部として利用するものであってもよい。
また、前記空気透過性血液不透過性フィルタ８は、メンブレンフィルタや焼結フィルタなど、気体を通過させ液体を通過させない細孔を有するものであれば特に限定されないが、好ましくは、ポリエチレン、ポリプロピレン、ポリメチルメタクリレート、ポリスチレン等からなる焼結体であり、さらに好ましくは、血液と接触すると膨潤して焼結体の細孔を塞ぐ吸水性ポリマーを含有しているものである。該吸水性ポリマーとしては、デンプンやアクリル酸塩などがあげられ、その含有率は焼結フィルターの全重量に対して好ましくは１〜３０％である。該フィルタ８は図５に示されるように逆止弁５ａとともにハブ３ａの内部通路に配置されるものであれば、図６に示されるように筒状であることがより好ましい。
【図面の簡単な説明】
【００２５】
【図１】本発明の採血針の一例を示す縦断面図である。
【図２】図１に示される採血針のハブ部分を分解した拡大断面図である。
【図３】本発明の採血針の逆止弁の他の例を示す縦断面図である。
【図４】バネ部材を有した本発明の採血針の一例を示す縦断面図である。
【図５】フラッシュバック機構を有した本発明の採血針の一例を示す縦断面図である。
【図６】図５に示される採血針のハブ部分を分解した拡大断面図である。
【符号の説明】
【００２６】
１  採血針
２１、２２  針管
３  ハブ
３３  空隙部
３４  ガイド通路
３９  壁面
４  弾性キャップ
５  弁部材
５１  椀部
５２  ガイド部
６  バネ部材
７  通気路
８  空気透過性血液不透過性フィルタ
【図１】
2006020934.tif 000003
【図２】
2006020934.tif 000004
【図３】
2006020934.tif 000005
【図４】
2006020934.tif 000006
【図５】
2006020934.tif 000007
【図６】
2006020934.tif 000008